(57)【要約】【課題】容器本体と蓋との嵌合状態から蓋を容易な操作で開けられるようにする。【解決手段】容器本体は、口部の外周面から突出する鍔部であって下方へ向けて末広がりとなるガイド面とする鍔部を含む。蓋は、口部を閉鎖する蓋本体の外周部にガイド穴が上下に貫通して形成された蓋本体、ガイド穴よりも外側において蓋本体から下方に突出する爪支持片部の下部には鍔部の下に嵌合する爪部が内側に突出する爪片を含む。蓋を開ける為に押蓋は、蓋本体よりも上方に離隔して配置されると共に蓋本体に対して往動時には下降及び復動時には上昇可能な押蓋本体、及び押蓋本体からガイド穴を経てガイド面にまで突出する押出片を含む。そして爪支持片部とガイド面との隙間は下方へ向かって狭くなり、その隙間に配置される押出片は、ガイド面に沿った下降に伴って鍔部と爪部との嵌合を解除する為に爪支持片部を弾性変形させて外側に押し広げる。【選択図】      図１
2015117049.tif 000002
【特許請求の範囲】
【請求項１】
内容物を収容する胴部、胴部から上方に突出する口部、及び口部の外周面から外側に突出する鍔部であってその外周面を下方へ向けて末広がりとなるガイド面とする鍔部を含む容器本体と、
口部を閉鎖する蓋本体であってその外周部全周に亘って間隔をあけてガイド穴が上下に貫通して形成された蓋本体、ガイド穴よりも外側において蓋本体から下方に突出すると共に弾性変形可能な爪支持片部の下部には鍔部の下に嵌合する爪部が内側に突出する爪片を含む蓋と、
蓋本体よりも上方に離隔して配置されると共に蓋本体に対して往動時には下降及び復動時には上昇可能な押蓋本体、及び押蓋本体からガイド穴を経てその下方のガイド面にまで突出すると共に往復動時に弾性変形する押出片を含む押蓋とを備え、
爪支持片部とガイド面との隙間は下方へ向かって狭くなり、その隙間に配置される押出片は、ガイド面に沿った下降に伴って鍔部と爪部との嵌合を解除する為に爪支持片部を外側に押し広げることを特徴とする容器。
【請求項２】
蓋は、爪片よりも外側において蓋本体からその全周に亘って下方へ突出する筒状の化粧壁を備え、
容器本体は、口部よりも外側に突出する肩部を胴部と口部との間であって化粧壁の下方に備えることを特徴とする請求項１記載の容器。
【請求項３】
蓋は、蓋本体の外周部から押蓋よりも上方に突出する側壁であってその上端部を化粧壁の上端部に接合する側壁を備えていることを特徴とする請求項２記載の容器。
【請求項４】
側壁の内周面又は押蓋の外周面にはその半径方向に突出するストッパーであって押蓋が蓋本体から外れるのを防ぐと共に押蓋が蓋本体から最も離隔する位置を規定するストッパーを備えることを特徴とする請求項３に記載の容器。
【発明の詳細な説明】
【技術分野】
【０００１】
本発明は、容器本体と、容器本体に着脱可能な蓋とを備える容器に関する。
【背景技術】
【０００２】
従来の容器の一つとしては、容器本体と、蓋体と称する蓋とを備え、容器本体については嵌合筒片と称する口部を備え、蓋については、口部の外周面を覆う嵌着筒片と称する化粧壁と、化粧壁の上端から外側に突出する摘み片とを備え、口部の外周面と化粧壁の内周面に着脱用の凹部と凸部を形成したものが知られている（特許文献１）。
【０００３】
この容器は、容器本体に蓋を着脱する際には、樹脂の弾性によって口部と化粧壁を変形させ、凹部と凸部を嵌合させたり、嵌合を解除させたりしている。
【先行技術文献】
【特許文献】
【０００４】
【特許文献１】特開２００１−２０６４０９号公報
【発明の概要】
【発明が解決しようとする課題】
【０００５】
しかしながら前記した容器は、蓋を外す際には、片手で容器本体を押さえる操作と、もう片方の手で摘み片を引き上げる操作という両手による２つの操作を要するものである。従ってより簡単な操作で蓋を外せるようにすることが望ましい。
【０００６】
本発明は、上記実情を考慮したもので、蓋を開け易くすることを目的とする。
【課題を解決するための手段】
【０００７】
本発明は、容器本体と蓋と押蓋を備えている。容器本体は、内容物を収容する胴部と、胴部から上方に突出する口部と、口部の外周面から外側に突出する鍔部であってその外周面を下方へ向けて末広がりとなるガイド面とする鍔部を含むものである。蓋は、口部を閉鎖する蓋本体であってその外周部全周に亘って間隔をあけてガイド穴が上下に貫通して形成された蓋本体と、蓋本体から下方に突出する爪片とを備える。爪片は、ガイド穴よりも外側において蓋本体から下方に突出すると共に弾性変形可能な爪支持片部と、爪支持部の下部から内側に突出する爪片であって鍔部の下に嵌合する爪部とを備えている。押蓋は、蓋本体よりも上方に離隔して配置されると共に蓋本体に対して往動時には下降及び復動時には上昇可能な押蓋本体と、押蓋本体からガイド穴を経てその下方のガイド面にまで突出すると共に往復動時に弾性変形する押出片を備えている。そして爪支持片部とガイド面との隙間は下方へ向かって狭くなり、その隙間に配置される押出片は、ガイド面に沿った下降に伴って鍔部と爪部との嵌合を解除する為に爪支持片部を外側に押し広げるものである。
【０００８】
また蓋は蓋本体と爪片だけで構成されていても良いし、容器本体も胴部と口部とが上下に直線的に延長する構成であっても良いが、爪片に使用者が触れないようにするには、次のようにすることが望ましい。
すなわち蓋は、蓋本体と爪片の他に、爪片よりも外側において蓋本体からその全周に亘って下方へ突出する筒状の化粧壁を備えるものとし、容器本体は、口部よりも外側に突出する肩部を胴部と口部との間であって化粧壁の下方に備えることである。
【０００９】
さらに蓋は、蓋本体と爪片だけ、又は蓋本体と爪片と化粧壁だけで構成されていても良いが、押蓋を使用者が誤って押すことを防ぐには次のようにすることが望ましい。
すなわち蓋は、蓋本体の外周部から押蓋よりも上方に突出する側壁であってその上端部を化粧壁の上端部に接合する側壁を備えていることである。
【００１０】
容器は水平なテーブルの上に置いた状態で通常使用されるが、持ち運ぶ際に鞄などの中に収容される状況も想定される。このような状況の場合、押蓋が蓋本体から外れることもあり得る。このようなことを防ぐには次のようにすることが望ましい。
すなわち側壁の内周面又は押蓋の外周面にはその半径方向に突出するストッパーであって押蓋が蓋本体から外れるのを防ぐと共に押蓋が蓋本体から最も離隔する位置を規定するストッパーを備えることである。
【発明の効果】
【００１１】
本発明によれば、蓋の爪片が容器本体の鍔部に嵌合している状態すなわち容器本体を蓋が閉鎖している状態では押蓋を下方に押すだけで、爪片と鍔部との嵌合が解除され、蓋が容器本体の上に単に載った状態（実質的には蓋が開いた状態）になる。また実質的に蓋が開いた状態とは容器本体の鍔部のガイド面に蓋本体の爪片が載った状態であり、この状態では蓋を下方に押すだけで、爪片と鍔部とが嵌合し、蓋が閉じた状態になる。このように本発明によれば、押蓋を単に１回押し込む操作だけで蓋を開けられ、しかも蓋を単に１回押し込むだけで蓋を閉められ、これら押蓋や蓋を押すことは片手で行えるので、従来に比べて容易に蓋を開け閉めできるようになる。
【００１２】
また蓋には爪片よりも外側に化粧壁を備え、容器本体には化粧壁の下方に配置される肩部を備えるものであれば、化粧壁の存在によって蓋の外側から爪片に触ることができなくなり、しかも肩部によって化粧壁をも下方から押し上げるように操作できなくなり、押蓋による蓋の開放操作を使用者に対して視覚的に認識させ易くなる。
【００１３】
さらに蓋には蓋本体と化粧壁とを接合すると共に押蓋よりも上方に突出する側壁を備えるものであれば、押蓋を使用者が誤って押すことを防ぐことができる。
【００１４】
また押蓋が蓋本体から最も離隔する位置を規定するストッパーを備えるものであれば、鞄の中などに入れて持ち運ぶ際に、押蓋が蓋本体から外れることを防止できる。
【図面の簡単な説明】
【００１５】
【図１】（ａ）、（ｂ）、（ｃ）図は本発明の第一実施形態の容器についての閉状態、開放動作中の状態、閉状態を示す切断部の端面図である。
【図２】（ａ）、（ｂ）、（ｃ）、（ｄ）、（ｅ）図は第一実施形態の容器についての平面図、正面図、斜視図、Ａ−Ａ線拡大断面図、Ｂ−Ｂ線拡大断面図である。
【図３】（ａ）、（ｂ）、（ｃ）、（ｄ）、（ｅ）図は容器本体についての平面図、正面図、下面図、斜視図、Ａ−Ａ線拡大断面図である。
【図４】（ａ）、（ｂ）、（ｃ）、（ｄ）、（ｅ）、（ｆ）図は蓋についての平面図、正面図、下面図、斜視図、Ａ−Ａ線拡大断面図、Ｂ−Ｂ線拡大断面図である。
【図５】（ａ）、（ｂ）、（ｃ）、（ｄ）、（ｅ）、（ｆ）図は押蓋についての平面図、正面図、下面図、斜視図、Ａ−Ａ線拡大断面図、Ｂ−Ｂ線拡大断面図である。
【図６】本発明の第二実施形態の容器についての閉状態を示す断面図である。
【図７】押蓋の変形例を示す断面図である。
【発明を実施するための形態】
【００１６】
本発明の第一実施形態の容器１は、図１〜図５に示すように、内容物を収容する容器本体２と、容器本体２に嵌合する蓋３と、容器本体２に対する蓋３の嵌合を解除する押蓋４を、３つの独立した部品として含むものである。以下においては特に断りがない場合には容器本体２に蓋３が嵌合している状態を基準として各部品について説明する。
【００１７】
容器本体２は図２、図３に示すように、円柱状の収容空間が内部に形成される胴部２１と、胴部２１の外周面の上端からその円周方向全周に亘って内側に突出する肩部２２と、肩部２２の内周部の全周から上方に突出する口部２３と、口部２３の外周面からその円周方向全周に亘って突出する鍔部２４と、胴部２１の下端を塞ぐ底部２５とを備えている。以下、本発明において「外側」及び「内側」とは、容器本体２の半径方向における相対的な位置関係を表す用語であり、以下単に「外側」、「内側」と称することもある。
【００１８】
胴部２１は、内容物を収容する為に円筒状、より詳しく言えば二重の同心状であって半径径方向の内側及び外側に離隔して配置される内周壁２１ａ及び外周壁２１ｂとを備えている。そして内周壁２１ａ及び外周壁２１ｂは何れも円筒状であって、半径の小さな内周壁２１ａの上端部と半径の大きな外周壁２１ｂの上端部を接合するのが、上面が水平な円環状の肩部２２である。また内周壁２１ａの下端を塞ぐのが円形の底部２５である。ちなみに外周壁２１ｂの下端は、内周壁２１ａの下端よりも低く形成されている。また外周壁２１ｂ（胴部２１）の外面は、円滑な（滑り止め用の凹凸の無い）円筒面となっている。
【００１９】
口部２３は、胴部２１の内周壁２１ａの上端、言い換えれば肩部２２の内周部からその全周方向に亘って上方に突出するもので、円筒状に形成されている。また口部２３の上端面は、水平面となっている。なお鍔部２４については後述する。
【００２０】
蓋３は図２、図４に示すように、口部２３を塞ぐ蓋本体３１と、蓋本体３１の外周部の全周に亘って間隔をあけて下方に突出する複数の爪片３２，３２,…と、蓋本体３１の外周部の全周から上方に突出する側壁３３と、側壁３３の上端における外周全周から下方に突出する化粧壁３４と、側壁３３の内側に配置される押蓋４が蓋３から外れるのを防ぐストッパー３５とを備えている。
【００２１】
蓋本体３１は、口部２３の上端面の外径よりも大きな半径の円板であって、口部２３の上端面の全周に対して密接する。また蓋本体３１は、その外周部（口部２３の上端面に密接する部分よりも外側）のうち外側全周に亘って間隔をあけて爪片３２が形成されており、外周部のうち内側であって各爪片３２の円周方向全長の内側に相当する部分には、上下方向（厚み方向）に貫通するガイド穴３１ａが形成されている。より詳しく言えば、円形の蓋本体３１の中心に対して円周方向に所定角度おきに（図示の例では等角度である６０度毎）に爪片３２及びガイド穴３１ａが形成されている。ガイド穴３１ａは平面視して円弧状である。
【００２２】
側壁３３は円筒状である。そして側壁３３の上部の内周面にはその円周方向の全周に亘ってストッパー３５が内側に突出しており、ストッパー３５は円環状に形成されている。またストッパー３５は上下方向の中間部が最も内側に突出するように断面くの字状となっている。つまりストッパー３５は、その上端から上下方向の中間部に向かって徐々に内径が狭められ、その高さ中間部から下端に向かって徐々に内径が広がるようになっている。
【００２３】
化粧壁３４は、側壁３３の上端部の全周から外側に張り出す円環状の張出壁部３４ａと、張出壁部３４ａの全周から下方へ延長する円筒状の化粧壁本体部３４ｂとを備えている。張出壁部３４ａと側壁３３の上面が蓋３の上面となる。ちなみに化粧壁３４（蓋３）の外周面は、円滑な（滑り止め用の凹凸の無い）円筒面となっている。また化粧壁３４の下方には容器本体２の肩部２２が配置されている。閉鎖された蓋３の化粧壁３４の下端と容器本体２の肩部２２の上面との間には上下方向のギャップが円周方向全周に亘って形成されており、このギャップはできるだけ小さくしてある。ギャップが大きいと、蓋３が閉じている状態のときに、蓋３の化粧壁３４を下方に押すと、蓋３が容器本体２に対して大きく傾き、爪片３２と鍔部２４との嵌合が解除されて、蓋３が開いてしまう事態が発生する。このような事態とならないように、ギャップはできるだけ小さくしてある。
【００２４】
爪片３２は断面Ｌ字状であって、蓋本体３１の外周部から下方へ突出する爪支持片部３２ａと、爪支持片部３２ａの下部から内側に突出する爪部３２ｂとから構成されている。因みに図示の例では爪片３２は全部で６つであり、蓋本体３１の中心に対して円周方向に等角度である６０°毎に爪片３２が形成されている。また円周方向に隣り合う爪支持片部３２ａの上部間には、双方を接合する接合壁部３６が円周方向に沿って延長している。そしてこれら接合壁部３６と爪支持片部３２ａの上部とによって側壁３３の下方に連続する下側壁３７が円筒状に形成されている。従って下側壁３７の下端からその全周に亘って間隔をあけて爪支持片部３２ａの下部が下方に突出する構成となっている。また爪支持片部３２ａはほぼ鉛直、より詳しく言えば下方に向かって僅かに内側へ狭まるようにして延長しており、それ故爪支持片部３２ａの内面も下方に向かって僅かに内側へ狭まる勾配が付いた形状となっている。またこの爪支持片部３２ａの下部は半径方向に弾性変形するものであり、それ故蓋３は合成樹脂製であり、できれば弾性変形しやすい樹脂、例えばポリプロピレン、ポリエチレン、ポリオレフィン等の成形品であることが望ましい。このような爪片３２に対して嵌合され、嵌合を解除されるのが図２、図３に示す容器本体２の鍔部２４である。
【００２５】
鍔部２４の外周面は、下方へ向かって末広がりになる（徐々に外側に広がる）テーパが付いたガイド面２４ａである。つまりガイド面２４ａは爪支持片部３２ａの内面の勾配とは逆向きに傾いており、それ故、ガイド面２４ａと爪支持片部３２ａとの間に形成される半径方向の隙間Ｓは下方へ向かって狭くなっている。また鍔部２４は、高さ方向に関して口部２３の外周面の上端部及び下端部との間の範囲に形成されている。従って高さ方向に関して鍔部２４と肩部２２との間には口部２３の外周面側に窪む凹部２６が形成され、凹部２６には爪部３２ｂが収容される。凹部２６の上面はガイド面２４ａの下端に連続する面であり、鍔部２４の下面を形成している。また鍔部２４の下面は爪部３２ｂが嵌合する（引っ掛かる）面であり、ここでは水平面になっている。ちなみに鍔部２４は弾性変形する必要が無いので、容器本体２は合成樹脂製（例えばＡＢＳ樹脂や、蓋３と同様にポリプロピレン、ポリエチレン、ポリオレフィン等の成形品）であっても良いし、金属製やガラス製等であっても良い。このような鍔部２４と爪部３２ｂとの嵌合を解除するのが押蓋４である。
【００２６】
押蓋４は、蓋本体３１の側壁３３の内側において蓋本体３１を覆う押蓋本体４１と、押蓋本体４１の外周部から各ガイド穴３１ａへ向かって下方に突出する押出片４２とを備えている。
【００２７】
押出片４２は、蓋本体３１のガイド穴３１ａの寸法（円周方向の長さ寸法及び半径方向の厚み寸法）よりも僅かに小さな寸法に形成されている。また押出片４２は、蓋３が閉じた状態で、上下方向の寸法を、押蓋本体４１からガイド穴３１ａを経てその下方のガイド面２４ａにまで達する突出長さに形成されている。
【００２８】
押蓋本体４１は、水平な円板であって、その下面には補強用のリブ４３が下方に突出して形成されている。リブ４３は、押蓋本体４１の下面の中心から放射状に延長する複数本の直線リブ４３ａと、押蓋本体４１の下面において同心状に形成される複数本の円形リブ４３ｂとから構成されている。ちなみに直線リブ４３ａの先端は、押出片４２の上端部にまで達している。この補強用のリブ４３によって押蓋本体４１の樹脂の使用量を減らしながら剛性を向上させている。
【００２９】
また押蓋本体４１の外周面には蓋３のストッパー３５の内周部に衝突する衝突部４１ａが半径方向に窪んで形成されている。そして衝突部４１ａがストッパー３５に衝突した状態は、ストッパー３５によって押蓋４が蓋３の蓋本体３１から最も離隔する位置に規定された状態であり、この状態では押蓋本体４１は蓋本体３１に対して上方に離隔して配置されており、蓋本体３１に対して往動時には下降（接近）可能に、復動時には上昇（離隔）可能になっている。またこの状態では、押出片４２の下部が容器本体２のガイド面２４ａと蓋３の爪支持片部３２ａとの隙間Ｓに収容され、しかもガイド面２４ａの上に載った状態となっている。ちなみに押出片４２の下端部の内周面は、鉛直面ではなく、ガイド面２４ａのテーパに対応させて面取りされた形状、すなわち下方に向かうにつれて徐々に外側に向かう面（テーパが付いた面又は断面が円弧状に膨らむ面）になっている。このような押出片４２の下端部の内周面が面状にガイド面２４ａの上に載るようにしてある。また押出片４２の下部の厚み寸法は、下方へ向かうにつれて徐々に狭くなっている隙間Ｓの最も狭い部分よりも厚い寸法に形成されている。これによって押蓋４の下降に伴って押出片４２が弾性変形によって外側に広がりやすくしてある。また押出片４２が弾性変形しやすいように、押蓋４は合成樹脂製であり、できれば蓋３と同様に弾性変形しやすい樹脂、例えばポリプロピレン、ポリエチレン、ポリオレフィン等の成形品であることが望ましい。
【００３０】
前記した第一実施形態の容器１は、以下の手順で蓋３を開閉する。図１（ａ）に示すように容器本体２の口部２３の上端面と蓋３の蓋本体３１の下端面とが互いの円周方向の全周に亘って密接した状態が、蓋３が閉じた状態である。蓋３が閉じた状態では、爪片３２の爪部３２ｂが鍔部２４の下側に引っ掛かっており、それによって容器本体２と蓋３とが嵌合している。またこの状態では、蓋３の上面（側壁３３の上面）が押蓋４の蓋本体３１の上面よりも上方に突出しており、使用者が誤って押蓋４の押蓋本体４１を押すことを防ぐようになっている。また蓋３が閉じた状態では、容器本体２のガイド面２４ａに載った押蓋４の押出片４２は上下方向にほぼ一直線に延長した形態（殆ど弾性変形していない形態）となっており、押蓋４は、上下方向の移動範囲のうち上限位置に配置され，ストッパー３５に衝突している。ちなみに蓋３には爪片３２よりも外側に化粧壁３４を備えているので、化粧壁３４の存在によって蓋３の外側から爪片３２に触ることができなくなり、押蓋４による蓋３の開放操作を使用者に視覚的に認識させ易くなる。また蓋３が閉じた状態では容器本体２の肩部２２の上方に蓋３の化粧壁３４を配置してあるので、蓋３を開けようとして化粧壁３４を下方から押し上げることができない。しかも、肩部２２の外側から垂下する外周壁２１ｂの外面と、化粧壁３４の外面とを、互いにほぼ同一半径の円筒面状にしてあるので、外観も良い。
【００３１】
そして押蓋４の押蓋本体４１を使用者が片手の指先で押し込むと、図１（ｂ）に示すように押蓋４が下降（往動）し、ガイド面２４ａに沿って押出片４２が下降する。ちなみにリブ４３によって、押蓋本体４１を押し込んだときに押蓋本体４１が凹んで、押出片４２が下降しないという事態を防止している。そして下降に伴って押出片４２の下部は、下方に向かって狭くなる隙間Ｓに侵入し、ガイド面２４ａによって外側に押し広げられるように弾性変形し、その押し広げられた押出片４２が爪支持片部３２ａを外側に押し広げるように弾性変形させ、鍔部２４と爪部３２ｂとの嵌合を解除する。
【００３２】
嵌合解除後に使用者が押蓋４から手を離せば、押蓋４への押し込み力が無くなり、図１（ｃ）に示すように、押出片４２及び爪片３２には何れも内側に狭まるような復元力が働き、押出片４２及び爪片３２の爪部３２ｂがガイド面２４ａに沿いながら押蓋４及び蓋３が上昇（復動）する。それによって容器本体２の口部２３の上端面と蓋３の蓋本体３１の下面との間が離れ、蓋３が開いた状態となる。
【００３３】
つまり使用者は蓋３を片手の指先で下方に押し、その手を蓋３から離すだけで、爪片３２と鍔部２４との嵌合が解除され、蓋３が容器本体２の上に単に載った状態（実質的には蓋３が開いた状態）になる。このように押蓋４を単に１回押し込む操作だけで蓋３を開けられる。
【００３４】
再度蓋３を閉めるときには、蓋３が開いた状態から蓋３を下方へ押し込むことにより、図１（ａ）に示すように爪片（爪部３２ｂ）３２がガイド面２４ａに沿いながら下降し、ガイド面２４ａの下方に爪部３２ｂが達すると、爪部３２ｂが容器本体２の鍔部２４に引っ掛かって、容器本体２と蓋３とが嵌合し、蓋３が閉じた状態になる。つまり押蓋４を単に１回押し込むだけで蓋３を閉められる。なお第一実施形態の容器１であれば、押蓋４が蓋３の蓋本体３１から外れるのを防ぐストッパー３５を備えているので、鞄の中などに入れて持ち運ぶ際に、押蓋４が蓋３から外れることを防止できる。
【００３５】
本発明の第二実施形態の容器１は、図６に示すように、容器本体２については肩部２２及び外周壁２１ｂが無い点、蓋３については化粧壁３４と側壁３３とが無い点について、第一実施形態の容器１と相違する。
より詳しく言えば、容器本体２は、内周壁２１ａのみから構成される胴部２１と、胴部２１の上端に連続する口部２３であって内径及び外径が胴部２１のそれと等しい口部２３と、口部２３の外側に形成される鍔部２４と、胴部２１の下端を塞ぐ底部２５とから構成されている。また蓋３は、蓋本体３１と、蓋本体３１の外周部から垂下する爪片３２とから構成されている。ちなみに押蓋４は、第二実施形態のものも、第一実施形態のものも同じである。
この第二実施形態の容器１は、使用者が蓋３と容器本体２との嵌合を解除する際に誤って爪片３２に触れる恐れがある。その反面、押蓋４の押蓋本体４１が蓋３よりも上方に突出した状態となっているので、使用者が押蓋４を操作しやすくなっている。
【００３６】
また各実施形態で用いられる押蓋４は、図７に示すように、補強用のリブ４３を無くす代わりに、押蓋本体４１を水平な円板よりも強度のある形状、より具体的に言えば例えば図示のようにドーム状（中央部が最も高くなる断面円弧状）の湾曲形状にしても良い。
【００３７】
本発明は上記実施形態に限定されるものではなく、その趣旨を逸脱しない範囲において適宜変更可能である。例えば、前記実施形態では、容器本体２の口部２３の上端面と蓋本体３１の下面とは直に密接する構成となっていたが、これに限らず本発明は、容器本体２の口部２３の上端面と、蓋本体３１の下面との間にその全周方向に亘って密接するパッキンを備えるものであっても良い。パッキンがあれば、容器本体２と蓋３との嵌合を解除したときに、パッキンの弾力性から生じる復元力によって蓋３を上方へ移動させる力が作用し、蓋３を開きやすくなる。
【００３８】
また前記実施形態では、容器本体２の鍔部２４のガイド面２４ａにテーパが付いているだけでなく、蓋３の爪支持片部３２ａにはガイド面２４ａのテーパとは逆方向の勾配が付いていたが、これに限らず本発明は、ガイド面２４ａにテーパが付いていれば、爪支持片部３２ａには勾配が付いていなくても良く、爪支持片部３２ａとガイド面２４ａとの間に形成される隙間Ｓが下方に向かって狭くなっていれば良い。
【００３９】
さらに前記実施形態では蓋３の化粧壁３４は、側壁３３の上端部に接合する円環状の張出壁部３４ａと、張出壁部３４ａから下方に延長する化粧壁本体部３４ｂとから構成されるものであったが、これに限らず本発明では化粧壁３４は、円環状の張出壁部３４ａを有することなく、単に化粧壁本体部３４ｂのみで構成され、側壁３３の上端部から斜め下方へ向かって外側に広がるように延長するものであっても良い。
【００４０】
また前記実施形態では押出片４２の下部の厚み寸法は、下方へ向かうにつれて徐々に狭くなっている隙間Ｓの最も狭い部分よりも厚い寸法に形成してあったが、これに限らず本発明では押出片４２の下部の厚み寸法は隙間Ｓの最も狭い部分よりも薄い寸法に形成されていても良く、この場合、ガイド面２４ａに沿って押出片４２の下端をガイド面２４ａの下端よりも下降させ、それによって押出片４２の下端部が蓋３の爪支持片部３２ａを押し広げて容器本体２の鍔部２４と蓋３の爪部３２ｂとの半径方向の嵌合を解除できれば良い。
【００４１】
なお前記実施形態では蓋３は、円周方向に隣り合う爪支持片部３２ａ，３２ａの下部同士を離隔すると共に互いの上部同士の間に両者を接合する接合壁部３６を備える構成であったが、これに限らず本発明では蓋３は、接合壁部３６を有せず、円周方向に隣り合う爪支持片部３２ａ，３２ａの上部同士も下部同士も離隔する構成であっても良い。
【００４２】
また前記実施形態の図示の例では爪片３２及びガイド穴３１ａは、蓋本体３１の外周部の全周に亘って等間隔をあけて（等角度毎に）配置されていたが、これに限らず本発明では爪片３２及びガイド穴３１ａは間隔をあけて配置されていればよいので、不等間隔をあけて配置されたものであっても良い。さらに爪片３２及びガイド穴３１ａは前記実施形態の図示の例では６個であったが、これに限らず本発明では２個以上であれば良い。
【符号の説明】
【００４３】
１    容器
２    容器本体
２１  胴部
２１ａ内周壁
２１ｂ外周壁
２２  肩部
２３  口部
２４  鍔部
２４ａガイド面
２５  底部
２６  凹部
３    蓋
３１  蓋本体
３１ａガイド穴
３２  爪片
３２ａ爪支持片部
３２ｂ爪部
３３  側壁
３４  化粧壁
３４ａ張出壁部
３４ｂ化粧壁本体部
３５  ストッパー
３６  接合壁部
３７  下側壁
４    押蓋
４１  押蓋本体
４１ａ衝突部
４２  押出片
４３  リブ
４３ａ直線リブ
４３ｂ円形リブ
Ｓ    隙間
【図１】
2015117049.tif 000003
【図２】
2015117049.tif 000004
【図３】
2015117049.tif 000005
【図４】
2015117049.tif 000006
【図５】
2015117049.tif 000007
【図６】
2015117049.tif 000008
【図７】
2015117049.tif 000009